(57)【特許請求の範囲】
【請求項１】
電子部品を搭載した制御基板を収納する基板ボックスを設けた遊技機において、
前記基板ボックスは、
第１ボックス構成部材と、
第２ボックス構成部材と、を含む基板ボックス構成体により構成され、
前記第１ボックス構成部材に係止部が設けられ、前記第２ボックス構成部材に被係止部が設けられ、
前記係止部と前記被係止部を相対的にスライドさせて係止することで当該基板ボックスを閉状態とし、
前記係止部と前記被係止部との係止状態の解除を防止する解除防止手段を備え、
前記解除防止手段は、
前記係止部と前記被係止部との前記係止状態の解除方向へのスライドを規制するスライド規制部材と、
前記スライド規制部材の少なくとも一部を覆うカバー部材と、
を備え、
前記カバー部材で覆われる前記スライド規制部材は、当該覆われる箇所の一部でスライドの規制を可能とし、
前記カバー部材は、当該カバー部材によって覆われる箇所で行われるスライドの規制状態が視認可能となるよう透光性部材によって構成するとともに、前記基板ボックス構成体の一部を被覆した際に当該基板ボックス構成体の一部と接触した状態となることで位置決め可能に構成し、
前記スライド規制部材と前記カバー部材は、痕跡が残るような方法でのみ固着解除される固着手段により固着されて、当該カバー部材の取り外し及び前記スライド規制部材によるスライドの規制状態の解除が不可とされていることを特徴とする遊技機。
【発明の詳細な説明】
【技術分野】
【０００１】
本発明は、基板ボックスを備える遊技機に関する。
【背景技術】
【０００２】
従来、遊技制御基板等を収納する基板ボックスは、基板を収納した状態で収納部材（上蓋部材）とベース部材とをスライド等により取り付け、特殊な工具（例えば、ドライバー）を使用してワンウェイネジ（単方向ネジ）を締めて固定し、さらにその上から合成樹脂製のビス押さえ部材（封止キャップ）を嵌め込んで強固に取り付けるようにしたかしめ構造が採用されている。
従って、基板ボックスを開放する際には、収納部材とベース部材とかしめ部を破壊する必要があり、不正に基板ボックスが開口された際には、破壊した痕跡が残るようになっている（例えば、特許文献１参照）。
【先行技術文献】
【特許文献】
【０００３】
【特許文献１】特開平１０−２６３１７１号公報
【発明の概要】
【発明が解決しようとする課題】
【０００４】
しかしながら、上記のような従来の基板ボックスの構成では、当該基板ボックスを遊技機本体から容易に取り外すことができるため、その後、収納部材とベース部材との合わせの部位や、そこに形成される僅かな隙間に専用工具等を挿入して、かしめ部が破壊されないように合わせの隙間を広げて、ボックス内部に不正部材を挿入したり、あるいはその隙間から基板上のＲＯＭ等を不正なものに交換する等の不正行為が行われる可能性があった。
【０００５】
そこで、本発明は、上記事情に鑑みてなされたものであって、基板ボックスの開放を防止することができ、これにより、当該基板ボックスに対する不正を防止することができる遊技機を提供することを目的とする。
【課題を解決するための手段】
【０００６】
以上の課題を解決するため、請求項１に記載の発明は、
電子部品を搭載した制御基板を収納する基板ボックスを設けた遊技機において、
前記基板ボックスは、
第１ボックス構成部材と、
第２ボックス構成部材と、を含む基板ボックス構成体により構成され、
前記第１ボックス構成部材に係止部が設けられ、前記第２ボックス構成部材に被係止部が設けられ、
前記係止部と前記被係止部を相対的にスライドさせて係止することで当該基板ボックスを閉状態とし、
前記係止部と前記被係止部との係止状態の解除を防止する解除防止手段を備え、
前記解除防止手段は、
前記係止部と前記被係止部との前記係止状態の解除方向へのスライドを規制するスライド規制部材と、
前記スライド規制部材の少なくとも一部を覆うカバー部材と、
を備え、
前記カバー部材で覆われる前記スライド規制部材は、当該覆われる箇所の一部でスライドの規制を可能とし、
前記カバー部材は、当該カバー部材によって覆われる箇所で行われるスライドの規制状態が視認可能となるよう透光性部材によって構成するとともに、前記基板ボックス構成体の一部を被覆した際に当該基板ボックス構成体の一部と接触した状態となることで位置決め可能に構成し、
前記スライド規制部材と前記カバー部材は、痕跡が残るような方法でのみ固着解除される固着手段により固着されて、当該カバー部材の取り外し及び前記スライド規制部材によるスライドの規制状態の解除が不可とされていることを特徴としている。
【０００８】
請求項１に記載の発明によれば、解除防止手段により基板ボックスを閉状態とする係止部と被係止部の係止状態の解除が防止されることから、ボックスの開放が不可能となり制御基板に対する不正行為を防止することが可能となる。
また、係止部と被係止部は、相対的にスライドさせて係止するように構成され、解除防止手段は、係止部と被係止部との係止状態の解除方向へのスライドを規制するスライド規制部材と、当該スライド規制部材の少なくとも一部を覆うカバー部材と、を備えているので、スライド規制部材によるスライドの規制状態の解除が不可とされ、スライド規制部材により係止状態の解除を確実に防止することができる。
さらに、カバー部材は、当該カバー部材によって覆われる箇所で行われるスライドの規制状態が視認可能となるよう透光性部材によって構成するとともに、基板ボックス構成体の一部を被覆した際に当該基板ボックス構成体の一部と接触した状態となることで位置決め可能に構成し、スライド規制部材とカバー部材は、痕跡が残るような方法でのみ固着解除される固着手段により固着されて、当該カバー部材の取り外し及びスライド規制部材によるスライドの規制状態の解除が不可とされているので、スライド規制部材及びカバー部材は係止状態が解除されると痕跡が残ることとなり、基板ボックスを不正に開放する等の係止状態が不正に解除された場合には、破壊箇所の発生により、不正行為が行われたことを迅速に発見することができる。
【００１３】
本発明に係る他の発明は、請求項１に記載の遊技機において、
前記係止部と前記被係止部は、相対的にスライドさせて係止するように構成され、
前記解除防止手段は、
前記基板ボックスの外面の少なくとも一部を覆うカバー部材と、
前記カバー部材よりも内側に配設され、前記係止部と前記被係止部との前記係止状態の解除方向へのスライドを規制する規制部を有するスライド規制部材と、を備え、
前記スライド規制部材と前記カバー部材は、痕跡が残るような方法でのみ固着解除される固着手段により固着されて、前記スライド規制部材によるスライドの規制状態の解除が不可とされていることを特徴としている。
【００１４】
本発明に係る他の発明によれば、係止部と被係止部は、相対的にスライドさせて係止するように構成され、解除防止手段は、基板ボックスの外面の少なくとも一部を覆うカバー部材と、カバー部材よりも内側に配設され、係止部と被係止部との係止状態の解除方向へのスライドを規制する規制部を有するスライド規制部材とを設けたので、基板ボックスの開放方向へのスライドを確実に規制し、基板ボックスの不正な開放を確実に防止することができる。
また、スライド規制部材とカバー部材は、痕跡が残るような方法でのみ固着解除される固着手段により固着されて、スライド規制部材によるスライドの規制状態の解除が不可とされているので、スライド規制部材により係止状態の解除を確実に防止することができる。また、カバー部材及びスライド規制部材を不正に取り外した場合には、その痕跡が残るので、不正行為を抑制するとともに、不正行為が行われた場合にはそれを迅速に発見することができる。
【００１５】
本発明に係るさらに他の発明は、上述した他の発明に記載の遊技機において、
前記基板ボックスを当該遊技機本体に取り付けるための取付部材を備え、
前記カバー部材は、
前記基板ボックス及び前記取付部材の外面の少なくとも一部を覆うように構成されるとともに、当該カバー部材の内側に、前記取付部材の被係合部に係合する係合部が形成されていることを特徴としている。
【００１６】
本発明に係るさらに他の発明によれば、基板ボックスを当該遊技機本体に取り付けるための取付部材を備え、カバー部材は、基板ボックス及び取付部材の外面の少なくとも一部を覆うように構成されるとともに、当該カバー部材の内側に、取付部材の被係合部に係合する係合部を形成したので、カバー部材及びスライド規制部材を固着状態のまま取り外すことを防止でき、基板ボックスの不正な開放を確実に防止することができる。
また、基板ボックスを取付部材から取り外すことも防止できる。さらに、基板ボックスを取付部材に取り付けた状態のまま基板ボックスを開放する等の不正行為も確実に防止することができる。
【発明の効果】
【００１７】
本発明によれば、解除防止手段により基板ボックスを閉状態とする係止部と被係止部の係止状態の解除が防止されることから、ボックスの開放が不可能となり制御基板に対する不正行為を防止することが可能となる。
また、係止部と被係止部は、相対的にスライドさせて係止するように構成され、解除防止手段は、係止部と被係止部との係止状態の解除方向へのスライドを規制するスライド規制部材と、当該スライド規制部材の少なくとも一部を覆うカバー部材と、を備えているので、スライド規制部材によるスライドの規制状態の解除が不可とされ、スライド規制部材により係止状態の解除を確実に防止することができる。
さらに、カバー部材は、当該カバー部材によって覆われる箇所で行われるスライドの規制状態が視認可能となるよう透光性部材によって構成するとともに、基板ボックス構成体の一部を被覆した際に当該基板ボックス構成体の一部と接触した状態となることで位置決め可能に構成し、スライド規制部材とカバー部材は、痕跡が残るような方法でのみ固着解除される固着手段により固着されて、当該カバー部材の取り外し及びスライド規制部材によるスライドの規制状態の解除が不可とされているので、スライド規制部材及びカバー部材は係止状態が解除されると痕跡が残ることとなり、基板ボックスを不正に開放する等の係止状態が不正に解除された場合には、破壊箇所の発生により、不正行為が行われたことを迅速に発見することができる。
【図面の簡単な説明】
【００１８】
【図１】本発明を適用した実施形態１の遊技機に備わる遊技盤の一部を示す背面図である。
【図２】図１の遊技盤に備わる遊技制御装置を拡大して示す正面図である。
【図３】図２の遊技制御装置を示す底面図である。
【図４】図２の遊技制御装置を示す分解斜視図である。
【図５】図２の遊技制御装置を示す分解斜視図である。
【図６】図２の遊技制御装置の基板ボックスを示す斜視図である。
【図７】図６の基板ボックスを図６と異なる方向から視て示す斜視図である。
【図８】図２の遊技制御装置の第１スライド規制部材を示す斜視図である。
【図９】図２の遊技制御装置の第１カバー部材を示す斜視図である。
【図１０】本発明を適用した実施形態２の遊技機に備わる遊技盤の一部を示す背面図である。
【図１１】図１０の遊技盤に備わる遊技制御装置を拡大して示す正面図である。
【図１２】図１０の遊技制御装置を示す斜視図である。
【図１３】図１０の遊技制御装置を示す底面図である。
【図１４】図１０の遊技制御装置を示す分解斜視図である。
【図１５】図１０の遊技制御装置を示す分解斜視図である。
【図１６】図１０の遊技制御装置の第２カバー部材を示す斜視図である。
【図１７】図１０の遊技制御装置の第２スライド規制部材を示す斜視図である。
【図１８】図１０の遊技制御装置のかしめ部配設部材を示す斜視図である。
【発明を実施するための形態】
【００１９】
以下、この発明の実施形態について図面を参照して説明する。
ここでは、本発明にかかる遊技機１００の適例としてのパチンコ遊技機１００について図１〜図１８を用いて説明を行う。
【００２０】
［実施形態１］
図１は、本発明を適用した実施形態１の遊技機１００に備わる遊技盤１の一部を示す背面図であり、取付ベース２に取り付けられた演出制御装置３及び遊技制御装置１０を示す。
実施形態１の遊技機１００は、矩形枠状に構成された機枠（図示略）を備え、この機枠の前方に該機枠に対し回動可能に矩形枠状の前面枠（図示略）が軸支されており、前面枠の背面側には、当該前面枠に形成された開口部から前側に臨むように遊技盤１が取り付けられている。
そして、遊技盤１の背面側には、各種部材が取り付けられる取付ベース２が設けられ、取付ベース２の上側に、表示ユニットを制御する演出制御装置３が取付けられ、その下側に、当該遊技盤１に設けた遊技装置の動作制御などを行うことで遊技の進行を統括的に制御する遊技制御装置（詳細後述）１０が基板ホルダ６０を介して取り付けられている。
【００２１】
なお、前面枠の前面側には、図示は省略するが、前側を覆うようにクリア部材保持枠が配置されている。そして、遊技盤１の前面とクリア部材保持枠に嵌め込まれたクリア部材としてのガラス板との間であって、遊技盤１の前面に設けられたガイドレール（図示略）に囲まれた部分が、遊技球が発射されて流下する遊技領域（図示略）とされ、この遊技領域内に遊技球（打球；遊技媒体）を発射して遊技を行うようになっている。
また、前面枠の前面側のクリア部材保持枠の下側に取り付けられた発射操作ユニット（図示略）は、排出された遊技球を貯留するとともに、遊技球を発射する発射装置に遊技球を送る上皿と、上皿に収容しきれない遊技球を収容する下皿及び灰皿と、遊技領域に向けての遊技球の発射操作を行うとともに、発射勢を調節するための操作ハンドルなどが設けられている。
【００２２】
また、前面枠の背面側には、遊技機１００としての諸機能を実現するための機構として、例えば、島設備より供給される遊技球を貯留する貯留タンク（図示略）や、球貸要求に応じた球排出や賞球排出を行う排出装置（図示略）、遊技盤１に設けられた各種入賞口へ入賞して回収された遊技球や何れの入賞口にも入賞せずにアウト口から回収された遊技球を機外の回収球搬送路へ導く遊技球回収機構（図示略）、球排出や打球の発射制御を行う排出・発射制御装置（図示略）、各部へ所定の電源を供給する電源装置（図示略）などが設けられている。
【００２３】
以下に、遊技制御装置１０について図２〜図８を参照して詳細に説明する。
遊技制御装置１０は、遊技機１００の制御を行う遊技制御基板（図示略）を基板ボックス１２に収納したものであって、取付ベース２に回動自在に軸着された基板ホルダ６０に保持されて遊技盤１の背面側に取り付けられている。
なお、遊技制御装置１０は遊技盤１の背面に取り付けられ、該遊技盤１が前面枠に取り付けられることで、遊技機１００の背面側から視認可能に配されている。よって、以下の説明では、図１に示すように、遊技機１００の背面側に配された遊技制御装置１０を遊技機１００の背面側から見た状態を基準として、遊技機１００の背面側から視認可能な面を前面（正面）、遊技盤１に取り付けられた側を後面とし、上下左右も遊技機１００の背面側から見た状態での上下左右とする。
【００２４】
遊技制御基板は、図示は省略するが、外形が略矩形状の基板であって、前面には他の装置と接続するための複数のコネクタ１３、…が設けられているとともに、図示しないＣＰＵ、ＲＯＭ、ＲＡＭ内蔵のワンチップＩＣ等の電子部品が配されている。この遊技制御基板においては、例えば、大当たりの抽選や、遊技の進行制御などの遊技に関する種々の処理がなされるようになっており、このような制御を行う遊技制御基板に対する不正行為を防止するために、遊技制御基板は基板ボックス１２に収納されている。
なお、図２及び図４〜図６にあっては、コネクタ１３の図示は省略している。
【００２５】
基板ボックス１２は、遊技制御装置１０の前面側を構成するとともに遊技制御基板を収納する第１ボックス構成部材２０と、後面側を構成する第２ボックス構成部材４０とを備え、第１ボックス構成部材２０と第２ボックス構成部材４０は正面視にて右側側部に設けられたボックス固着部７０により固着されている。
これにより、遊技制御基板が基板ボックス１２に完全に内包された封止状態となり、遊技制御基板に対する不正行為を防止するようになっている。
【００２６】
第１ボックス構成部材２０は、例えば、透光性の合成樹脂で形成されており、内部に収納した遊技制御基板を視認可能となっている。また、第１ボックス構成部材２０は、遊技制御基板の外形に対応させて略矩形枠状に連結された４つの側壁部２２、…と、各側壁部２２の前端部に連続して形成され、４つの側壁部２２、…とともに収納凹部２３を形成する前面壁２１とを具備し、収納凹部２３内に遊技制御基板がネジ止め等により取付固定されている。
【００２７】
収納凹部２３は、前面側に膨らんで内側に遊技制御基板を収納するものであり、遊技制御基板のコネクタ１３が設けられた部分に合わせて、遊技制御基板と対向する前面壁２１の一部分が後面側に凹んで段部２４、…が形成されている。また、段部２４、…にはコネクタ１３が挿通されるコネクタ挿通開口部２５、…が設けられている。
これらコネクタ挿通開口部２５、…に、基板ボックス１２に収納された遊技制御基板のコネクタ１３が挿入されて遊技制御装置１０の前面側に露出するようになっており、これによって遊技制御基板への配線が可能となっている。
また、コネクタ１３がコネクタ挿通開口部２５に挿入されることで、遊技制御基板は上下左右方向への移動が規制されるようになり、さらには、段部２４、…に遊技制御基板の前面が当接し、遊技制御基板の前方への移動が規制される。即ち、段部２４、…及びコネクタ挿通開口部２５、…は、第１ボックス構成部材２０に対する遊技制御基板の位置決めを行う機能も有する。
なお、遊技制御基板に設けるコネクタ１３は一部分に集中させないで、複数箇所に分散して設けられており、遊技制御基板が適切な位置に確実に保持されるようにされている。
【００２８】
また、４つの側壁部２２、…のうち、上下の側壁部２２、２２における外側の面には、当該側壁部２２に対して垂直に外側に突出する直方体状のボックススライド係止部（図示略）が複数形成されている。
ボックススライド係止部は、第２ボックス構成部材４０に形成されたボックススライド被係止部４６と係合可能であり、これにより第１ボックス構成部材２０と第２ボックス構成部材４０とが接合されるようになっている。
【００２９】
また、４つの側壁部２２、…のうち、左側の側壁部２２における外側の面には、当該側壁部２２に対して垂直に外側に突出する直方体状の第１挿入係合部（図示略）が形成されている。
第１挿入係合部は、第２ボックス構成部材４０に形成された第２挿入係合受部４７（図５参照）に挿入されることで係合し、これによっても第１ボックス構成部材２０と第２ボックス構成部材４０とが接合されるようになっている。
【００３０】
また、上側の側壁部２２における外側の面には、第２ボックス構成部材４０に形成された係止片４８に係止可能な係止部材２７が設けられており、これによって第１ボックス構成部材２０と第２ボックス構成部材４０を接合した状態で保持できるようになっている。
【００３１】
また、右側の側壁部２２には、外側に向かって突出されたボックスかしめ部配設部２８が形成されている。
ボックスかしめ部配設部２８は、右側の側壁部２２の上下方向のやや内側の位置から右側に突出するように形成され、右側端面に４つのボックスかしめ部３０、…が連設されている。
【００３２】
４つのボックスかしめ部３０、…は、上下方向に所定間隔を空けて配設された４つの連結部３１、…を介してボックスかしめ部配設部２８の右側端面と接続されている。各ボックスかしめ部３０は、外形が前後方向に延在する円筒状に形成され、略中央部に第１ボックス構成部材２０と第２ボックス構成部材４０を固着する際にワンウェイネジ３２が挿通されるネジ孔（図示略）が前後方向に沿って穿設されている。
【００３３】
４つのボックスかしめ部３０、…には、予めワンウェイネジ３２が仮止めされている。
ここで、ワンウェイネジ３２とは、締める方向にしか回すことができないネジである。
また、ボックスかしめ部３０の前面は、ワンウェイネジ３２のネジ頭部が露出しないようにキャップ３３により封止されている。なお、図１及び図２にあっては、キャップ３３の図示を省略している。
【００３４】
なお、ボックスかしめ部３０は、その後端のネジ孔よりも右側部分が左側部分に対して後側に突出されており、当該ボックスかしめ部３０と接合するボックスかしめ受部５０（後述）を右側から覆うようになっている。これにより、ボックスかしめ部３０とボックスかしめ受部５０の接合部分に工具等を差し込んで当該基板ボックス１２を開放する不正行為を抑制することができる。
【００３５】
各連結部３１は、各ボックスかしめ部３０の外周面とボックスかしめ部配設部２８の右側端面とを個別に繋ぐものである。
【００３６】
第２ボックス構成部材４０は、例えば、透光性の合成樹脂で形成されており、内部に収納した遊技制御基板を視認可能となっている。また、第２ボックス構成部材４０は、遊技制御装置１０の後面をなす略矩形状の後面壁（図示略）と、該後面壁の周囲を囲むように前側に略垂直に突出した周囲壁４２とを有し、周囲壁４２の内側に第１ボックス構成部材２０の側壁部２２が配設される。
【００３７】
後面壁の前面であって上側の周囲壁４２のすぐ下側には、当該周囲壁４２と平行なリブ状の上部案内壁（図示略）が形成され、上側の側壁部２２が左右方向にスライド可能に嵌合するスライド溝が形成されている。
また同様に、下側の周囲壁４２のすぐ上側には、当該周囲壁４２と平行なリブ状の下部案内壁（図示略）が形成され、下側の側壁部２２が左右方向にスライド可能に嵌合するスライド溝が形成されている。
【００３８】
上下の周囲壁４２、４２における外側の面には、第１ボックス構成部材２０に形成されたボックススライド係止部（図示略）と対応する位置に、各ボックススライド係止部が係止されるボックススライド被係止部４６、…が形成されている。
ボックススライド被係止部４６、…の各々は、上下の周囲壁４２、４２に形成されたＬ字状のスリット（図示略）と、該スリットが形成された部分の外側を覆うカバー部とからなる。
スリットは、周囲壁４２の前端に一端部が位置しており、ここから前後方向に沿って後方へ延在し、さらに直角に左方へ屈折して左右方向に沿って延在するように形成されている。そして、周囲壁４２の前端に位置する一端部が、ボックススライド係止部を受け入れる受入部とされ、スリットの外側を覆うカバー部にも、受入部に連続してボックススライド係止部の寸法に合わせて切り欠かれたボックススライド開口部４６ａが形成されている。
【００３９】
また、上下の周囲壁４２、４２における外側の面には、周囲壁４２に対して略垂直に外側に突出する直方体状のスライド係止部（図示略）が複数（例えば、上下２個ずつ）形成されている。
【００４０】
左側の周囲壁４２には、第１ボックス構成部材２０に形成された第１挿入係合部（図示略）と対応する位置に、該挿入係合部を受け入れる２つの第２挿入係合受部４７、４７が形成されている。
そして、第１ボックス構成部材２０と第２ボックス構成部材４０とを組み合わせた状態で第１ボックス構成部材２０を左方向へスライドすることにより、第２挿入係合受部４７に第１挿入係合部が挿入されるようになっている。
【００４１】
また、上側の周囲壁４２における外側の面には、第１ボックス構成部材２０に設けられた係止部材２７と対応する位置に係止片４８が形成されている。
係止片４８は、外側へ向かって突出する突条であって、右側面が左側へ向かって周囲壁４２からの突出量が増加する斜面とされ、左側面は周囲壁４２に対して垂直な面とされている。そして、係止片４８に係止部材２７が係止することによって、後述するように、第１ボックス構成部材２０と第２ボックス構成部材４０とが接合した状態が保持される。
【００４２】
また、右側の周囲壁４２の外側の面には、第１ボックス構成部材２０に設けられたボックスかしめ部３０、…に対応するように４つのボックスかしめ受部５０、…（図１２参照）がそれぞれ第２ボックス構成部材４０から延設された接続部４９を介して設けられている。
【００４３】
ボックスかしめ受部５０は、外形が前後方向に延在する円柱状に形成され、略中央部に第１ボックス構成部材２０と第２ボックス構成部材４０を固着する際にワンウェイネジ３２が螺子込まれるネジ穴（図示略）が当該ボックスかしめ受部５０の前端面から後側に前後方向に沿って穿設されている。
【００４４】
また、ボックスかしめ受部５０は、第１ボックス構成部材２０と第２ボックス構成部材４０とを接合させることによってボックスかしめ部３０、…と対向配置され、ボックスかしめ部３０のネジ孔とボックスかしめ受部５０のネジ穴が連通された状態となる。
そして、４つのボックスかしめ部３０、…の何れかに仮止めされているワンウェイネジ３２がボックスかしめ部３０のネジ孔と当該ネジ孔に対向配置されたボックスかしめ受部５０のネジ穴に螺子込まれることで第１ボックス構成部材２０と第２ボックス構成部材４０が固着される。
ここで、ボックスかしめ部３０、ボックスかしめ受部５０及びワンウェイネジ３２は、ボックス固着部７０を構成している。
【００４５】
以上のような構成を有する基板ボックス１２は、第１ボックス構成部材２０と第２ボックス構成部材４０を接合する際には、先ず、第１ボックス構成部材２０のボックススライド係止部を第２ボックス構成部材４０のボックススライド被係止部４６、…に嵌め込むようにする。これにより、第１ボックス構成部材２０の収納凹部２３の後端部分が第２ボックス構成部材４０の周囲壁４２に収容されるとともに、第１ボックス構成部材２０の上下の側壁部２２、２２が第２ボックス構成部材４０のスライド溝に嵌合する。
そして、この状態で、第１ボックス構成部材２０を左方向へスライドさせることで、ボックススライド係止部がボックススライド被係止部４６、…に係止するとともに、第１挿入係合部が第２挿入係合受部４７、４７に挿入されて係合した状態となる。
これにより、第１ボックス構成部材２０と第２ボックス構成部材４０とが接合した状態となる。
【００４６】
また、第１ボックス構成部材２０に設けられた係止部材２７は、上述のように第１ボックス構成部材２０を左方向にスライドさせる過程で係止片４８の右側面の斜面に当接し、さらに左方向にスライドすることで、係止部材２７が弾性変形して係止片４８の斜面に沿って案内される。そして、係止部材２７の係止部が係止片４８を乗り越えると、弾性変形していた係止部材２７が元の状態に復帰し、係止片４８の垂直な左端面に係止部材２７が係止される。
このように、係止部材２７の係止部が係止片４８を乗り越えた状態となるのは、ちょうど第１ボックス構成部材２０が第２ボックス構成部材４０と接合された状態となったときであって、この位置で係止部材２７が係止されることで、第１ボックス構成部材２０と第２ボックス構成部材４０とが接合された状態で保持されることとなる。
【００４７】
第１ボックス構成部材２０と第２ボックス構成部材４０とが接合した状態では、ボックス固着部７０をなすボックスかしめ部３０、…とボックスかしめ受部５０とが対向するように配され、固着可能な状態となる。そして、４つのボックスかしめ部３０、…のうち、何れか（例えば、最も上側）のボックスかしめ部３０のネジ孔に仮止めされているワンウェイネジ３２を当該ネジ孔に対向配置されたボックスかしめ受部５０のネジ穴に螺子込むことで第１ボックス構成部材２０と第２ボックス構成部材４０を固着する。
また、ボックス固着部７０による固着を解除するためには、ワンウェイネジ３２により固着されているボックスかしめ受部５０の接続部４９、若しくはボックスかしめ部３０の連結部３１を切断することにより行う。即ち、ボックス固着部７０は、痕跡が残るような方法でのみ固着解除可能とされている。
なお、ワンウェイネジ３２による固着を行う前であれば、係止部材２７を上側に引き上げるように弾性変形させて係止片４８による係止部の係止状態を解除し、第１ボックス構成部材２０を右方向へスライドさせることで、第１ボックス構成部材２０と第２ボックス構成部材４０の接合状態を解除することができる。
【００４８】
基板ボックス１２が取り付けられる基板ホルダ６０は、例えば、透光性の合成樹脂で形成されており、基板ボックス１２が保持されるホルダ本体部６１と、ホルダ本体部６１の左側に設けられ、２つの回動軸６２ａ、６２ａを具備する回動軸部６２等を備えている。
【００４９】
ホルダ本体部６１は、上下方向及び左右方向に対して略平行に延設された部材であり、その後面には補強用のリブが上下左右に複数形成されている。具体的には、図３及び図６等に示すように、ホルダ本体部６１には、上下方向に対して略平行に延在する５つの縦リブ６８、…と、これら縦リブ６８、…と交差し、左右方向に対して略平行に延在する３つの横リブ６９、…とが設けられている。
【００５０】
縦リブ６８は、当該基板ホルダ６０の上端から略中央部まで延設された上側リブ部分６８１と、上側リブ部分６８１の下端部に連続して当該基板ホルダ６０の下端部まで延設され、上側リブ部分６８１よりも突出された下側リブ部分６８２とを具備している。
【００５１】
３つの横リブ６９、…のうち、最も上側の横リブ６９は、当該基板ホルダ６０の左端から最も右側の縦リブ６８の上側リブ部分６８１まで延設され、その突出量が上側リブ部分６８１と略等しくなっている。また、残り２つの横リブ６９、６９は、当該基板ホルダ６０の右端から回動軸部６２まで延設され、その突出量が下側リブ部分６８２及び当該基板ホルダ６０の下端面部６０ａと略等しくなっている。
【００５２】
回動軸部６２は、ホルダ本体部６１の左端部に連続して設けられ、上下に並んで配設された２つの回動軸６２ａ、６２ａのうち、上側の回動軸６２ａが連結部６２ｂを介して取り付けられた上側軸部取付部６２１と、下側の回動軸６２ａが連結部６２ｂを介して取り付けられた下側軸部取付部６２２等を備えている。
【００５３】
下側軸部取付部６２２は、当該基板ホルダ６０の後面から後側に突出するように形成されており、連結部６２ｂが接続された下側取付面部６２２ａと、この下側取付面部６２２ａの上端部に接続された下側第１補強板部６２２ｂと、下側取付面部６２２ａの下端部に接続された下側第２補強板部６２２ｃ等を備えている。
【００５４】
下側取付面部６２２ａは、上下方向に対して略平行に延設され、基板ホルダ６０の左端面部の一部を構成している。
下側第１補強板部６２２ｂ及び下側第２補強板部６２２ｃは、左右方向に対して略平行に延設され、略等しい長さを有している。また、下側第１補強板部６２２ｂの右端部が最も下側の横リブ６９に接続されている。また、下側第２補強板部６２２ｃの右端部が基板ホルダ６０の下端面部６０ａの左端部に接続されている。即ち、下側第２補強板部６２２ｃは、基板ホルダ６０の下端面部６０ａの一部を構成している。
【００５５】
下側取付面部６２２ａ、下側第１補強板部６２２ｂ及び下側第２補強板部６２２ｃの基板ホルダ６０の後面からの突出量は、略等しくなっており、最も下側の横リブ６９及び下端面部６０ａの突出量よりも大きくなっている。即ち、下側第１補強板部６２２ｂと下側の横リブ６９の左端部の間、下側第２補強板部６２２ｃと下端面部６０ａの左端部の間には、所定の高さを有する段差が形成されている。
【００５６】
上側軸部取付部６２１は、当該基板ホルダ６０の後面から後側に突出するように形成されており、連結部６２ｂが接続された上側取付面部６２１ａと、この上側取付面部６２１ａの上端部に接続された上側第１補強板部６２１ｂと、上側取付面部６２１ａの下端部に接続された上側第２補強板部６２１ｃ等を備えている。
【００５７】
上側取付面部６２１ａは、上下方向に対して略平行に延設され、基板ホルダ６０の左端面部の一部を構成している。
上側第１補強板部６２１ｂ及び上側第２補強板部６２１ｃは、左右方向に対して略平行に延設され略等しい長さを有している。また、上側第２補強板部６２１ｃの右端部が真ん中の横リブ６９に接続されている。
【００５８】
上側取付面部６２１ａ、上側第１補強板部６２１ｂ及び上側第２補強板部６２１ｃの基板ホルダ６０の後面からの突出量は、略等しくなっており、真ん中の横リブ６９の突出量よりも大きくなっている。即ち、上側第２補強板部６２１ｃと真ん中の横リブ６９の左端部の間には、所定の高さを有する段差が形成されている。
【００５９】
２つの回動軸６２ａ、６２ａは、上下方向に対して略平行に延在して形成され、取付ベース２の軸受部２９に軸着されることで、取付ベース２に対して上下方向の軸周りに回動自在に取付けられる。
【００６０】
上側軸部取付部６２１と下側軸部取付部６２２の間には、基板ボックス１２の左端部に係合して当該ボックス取付部６４からの取り外しを規制する係止部６７が設けられている。
係止部６７は、当該ホルダ本体部６１と一体となって形成され、可撓性を有している。具体的には、係止部６７は、ボックス取付部６４の左側部の上下方向の中央やや下寄りの位置に設けられ、最も左側の縦リブ６８の下側リブ部分６８２から左右方向左側に延在する延在部６７１の先端部（左端部）に基板ボックス１２の左端部に係合する係合爪６７２が設けられている。
【００６１】
また、ホルダ本体部６１の前面の右側部分には、中継基板（図示略）が取り付けられる中継基板取付部６３が設けられている。そして、中継基板取付部６３と回動軸部６２の間の部分が、基板ボックス１２が取り付けられるボックス取付部６４となっている。
【００６２】
ボックス取付部６４の左右方向に延在する上下縁部には、基板ボックス１２の第２ボックス構成部材４０に形成されたスライド係止部（取付用係止部）と対応する位置に、スライド係止部を受け入れるスライド被係止部（取付用被係止部）６４１が形成されている。
スライド被係止部６４１の各々は、当該ボックス取付部６４の前面から前側に突出するように形成され、基板ボックス１２側に開口した断面略「コ」字状の側壁部と、この側壁部の前端の右側部分に連続して形成され、当該右側部分のみを覆う右側被覆部とを備えている。
即ち、側壁部の前端の左側部分は、スライド係止部を受け入れるためのスライド開口部６４１ａとなっており、このスライド開口部６４１ａを介して当該スライド被係止部６４１の内側に配されたスライド係止部は相対的に右方向に移動することにより、右側被覆部により抜け止めされた状態でスライド被係止部に係止する。
これにより、基板ボックス１２が基板ホルダ６０に取り付けられるようになっている。
【００６３】
ボックス取付部６４の右端部には、当該基板ボックス１２を基板ホルダ６０に対してネジ止めするための取付ネジ（図示略）がボックスかしめ部配設部２８のネジ孔２８ａを介して挿通されるネジ穴が形成された螺合部６６（図３参照）が配設されている。
【００６４】
螺合部６６は、前後方向に延在して前側になるにつれて縮径される円錐台形状に形成され、略中央部に取付ネジが挿入されるネジ穴が前後方向に沿って穿設されている。
そして、基板ホルダ６０に対して基板ボックス１２を相対的に右方向へスライドさせることにより、ボックスかしめ部配設部２８の切欠部２８ｂ（図１２参照）で螺合部６６を案内しながら右方向に移動していき、切欠部２８ｂの奥側の湾曲した部分が螺合部６６に当接することで基板ボックス１２のスライドが停止して、ボックスかしめ部配設部２８のネジ孔２８ａの中心軸が螺合部６６のネジ穴の中心軸と前後にほぼ重なる位置に配置された状態となる。
【００６５】
基板ホルダ６０に取り付けられた基板ボックス１２は、ボックス開放規制部３００が取り付けられることにより、当該基板ボックス１２の開放が規制される。
ボックス開放規制部３００は、基板ボックス１２のボックス固着部７０が配設された右端部とは反対側の左端部を覆うように配設され、基板ボックス１２及び基板ホルダ６０に取り付けられる第１スライド規制部材４００と、第１スライド規制部材４００の少なくとも一部を覆うように配設される第１カバー部材５００とを備えている。
ここで、第１カバー部材５００は、基板ボックス１２のボックス固着部７０が配設される右側端部とは反対側の左側端部を覆う被覆部を構成している。
【００６６】
第１スライド規制部材４００は、例えば、透光性の合成樹脂で形成され、図８に示すように、４つのかしめ部４１０、…が配設されたかしめ部配設面部４２０と、かしめ部配設面部４２０の上下両端部に連続して形成された上下のスライド規制部構成部４３０、４４０とを備えている。
【００６７】
上下のスライド規制部構成部４３０、４４０は、基板ボックス１２の基板ホルダ６０に対するスライド並びに、基板ボックス１２を構成する第１ボックス構成部材２０と第２ボックス構成部材４０の相対的なスライドを規制するものである。
【００６８】
下スライド規制部構成部４４０は、ボックススライド開口部４６ａに挿入される第１挿入部４４１及びスライド開口部６４１ａに挿入される第２挿入部４４２を具備する下側挿入板部４４３と、下側挿入板部４４３が取付固定された下側挿入板部取付部４４４とを備えている。
【００６９】
下側挿入板部４４３は、第１挿入部４４１と第２挿入部４４２が下側挿入部接続部４４５により接続され、下側から視て略「コ」字状に形成されている。
【００７０】
第１挿入部４４１は、基板ボックス１２の下側の周囲壁４２の最も左側に設けられたボックススライド被係止部４６のボックススライド開口部４６ａに挿入されるものである。また、第１挿入部４４１は、略矩形状に形成され、第１挿入部４４１の左右方向の長さがボックススライド開口部４６ａの左右方向の長さと略等しいか、或いはわずかに短くなるように、且つ、当該第１挿入部４４１の上下方向の長さがボックススライド開口部４６ａの上下方向の長さと略等しいか、或いはわずかに短くなるように形成されている。
そして、第１挿入部４４１がボックススライド開口部４６ａに挿入されることで、第２ボックス構成部材４０に対する第１ボックス構成部材２０の右方向へのスライド、即ち、ボックススライド被係止部４６に対するボックススライド係止部の係止状態を解除する方向へのスライドを規制するようになっている。
【００７１】
第２挿入部４４２は、基板ホルダ６０の下縁部の左側に設けられたスライド被係止部６４１のスライド開口部６４１ａに挿入されるものである。また、第２挿入部４４２は、略矩形状に形成され、第２挿入部４４２の左右方向の長さがスライド開口部６４１ａの左右方向の長さと略等しいか、或いはわずかに短くなるように、且つ、当該第２挿入部４４２の上下方向の長さがスライド開口部６４１ａの上下方向の長さと略等しいか、或いはわずかに短くなるように形成されている。
そして、第２挿入部４４２がスライド開口部６４１ａに挿入されることで、基板ホルダ６０に対する基板ボックス１２の右方向へのスライド、即ち、スライド被係止部に対するスライド係止部の係止状態を解除する方向へのスライドを規制するようになっている。
【００７２】
下側挿入部接続部４４５の下側の面には、第１カバー部材５００の下側押圧部５１４により押圧される下側被押圧板部４４６が取付固定されている（詳細後述）。
【００７３】
下側挿入板部取付部４４４は、左右方向及び前後方向に対して略平行に延在する板状に形成され、当該下側挿入板部取付部４４４の後端部よりも第１挿入部４４１及び第２挿入部４４２を突出させるように下側挿入板部４４３が取り付けられている。
また、下側挿入板部取付部４４４の左端部は、基板ボックス１２の左下隅部の段差形状に合わせて上側に凹んでいる。
【００７４】
上スライド規制部構成部４３０は、ボックススライド開口部４６ａに挿入される第１挿入部４３１及びスライド開口部６４１ａに挿入される第２挿入部４３２を具備する上側挿入板部４３３と、上側挿入板部４３３が取付固定された上側挿入板部取付部４３４とを備えている。
【００７５】
上側挿入板部４３３は、第１挿入部４３１と第２挿入部４３２が上側挿入部接続部４３５により接続され、上側から視て略「コ」字状に形成されている。
【００７６】
第１挿入部４３１は、基板ボックス１２の上側の周囲壁４２の最も左側に設けられたボックススライド被係止部４６のボックススライド開口部４６ａに挿入されるものである。また、第１挿入部４３１は、略矩形状に形成され、第１挿入部４３１の左右方向の長さがボックススライド開口部４６ａの左右方向の長さと略等しいか、或いはわずかに短くなるように、且つ、当該第１挿入部４３１の上下方向の長さがボックススライド開口部４６ａの上下方向の長さと略等しいか、或いはわずかに短くなるように形成されている。
そして、第１挿入部４３１がボックススライド開口部４６ａに挿入されることで、第２ボックス構成部材４０に対する第１ボックス構成部材２０の右方向へのスライド、即ち、ボックススライド被係止部４６に対するボックススライド係止部の係止状態を解除する方向へのスライドを規制するようになっている。
【００７７】
第２挿入部４３２は、基板ホルダ６０の上縁部の左側に設けられたスライド被係止部６４１のスライド開口部６４１ａに挿入されるものである。また、第２挿入部４３２は、略矩形状に形成され、第２挿入部４３２の左右方向の長さがスライド開口部６４１ａの左右方向の長さと略等しいか、或いはわずかに短くなるように、且つ、当該第２挿入部４３２の上下方向の長さがスライド開口部６４１ａの上下方向の長さと略等しいか、或いはわずかに短くなるように形成されている。
そして、第２挿入部４３２がスライド開口部６４１ａに挿入されることで、基板ホルダ６０に対する基板ボックス１２の右方向へのスライド、即ち、スライド被係止部に対するスライド係止部の係止状態を解除する方向へのスライドを規制するようになっている。
【００７８】
上側挿入部接続部４３５の上側の面には、第１カバー部材５００の上側押圧部５１１により押圧される上側被押圧板部（図示略）が取付固定されている（詳細後述）。
【００７９】
上側挿入板部取付部４３４は、左右方向及び前後方向に対して略平行に延在する板状に形成され、当該上側挿入板部取付部４３４の後端部よりも第１挿入部４３１及び第２挿入部４３２を突出させるように上側挿入板部４３３が取り付けられている。
【００８０】
かしめ部配設面部４２０は、前後方向及び上下方向に対して略平行に延在する板状に形成され、４つのかしめ部４１０、…が２つずつ所定間隔を空けて配設されている。即ち、かしめ部配設面部４２０の下端部よりの位置に、２つのかしめ部４１０、４１０が配設され、かしめ部配設面部４２０の上下方向の中央よりもやや上側に、２つのかしめ部４１０、４１０が配設されている。
【００８１】
４つのかしめ部４１０、…の各々は、連結部４１１を介してかしめ部配設面部４２０と連設されている。また、各かしめ部４１０は、外形が前後方向に延在する円筒状に形成され、略中央部に第１スライド規制部材４００と第１カバー部材５００を固着する際にワンウェイネジ９が挿通されるネジ孔（図示略）が前後方向に沿って穿設されている。
【００８２】
４つのかしめ部４１０、…には、予めワンウェイネジ９が仮止めされている。そして、４つのかしめ部４１０、…の何れかに仮止めされているワンウェイネジ９がかしめ部４１０のネジ孔と当該ネジ孔に対向配置されたかしめ受部５５０のネジ穴５５０ａに螺子込まれることで第１スライド規制部材４００と第１カバー部材５００が固着されている（図２等参照）。
なお、かしめ部４１０の前面は、ワンウェイネジ９のネジ頭部が露出しないようにキャップ４１２により封止されている。
【００８３】
第１カバー部材５００は、例えば、透光性の合成樹脂で形成され、図９に示すように、基板ボックス１２の前面を覆う前側被覆面部５１０と、基板ボックス１２及び基板ホルダ６０の上側部分を覆う上側被覆面部５２０と、基板ボックス１２及び基板ホルダ６０の下側部分を覆う下側被覆面部５３０と、基板ホルダ６０の後面を覆う後側被覆面部５４０と、基板ボックス１２及び基板ホルダ６０の上側部分を覆うとともに、４つのかしめ受部５５０、…が取り付けられたかしめ受部取付面部５６０とを備えている。
【００８４】
前側被覆面部５１０は、上下方向及び左右方向に対して略平行に延在するように略矩形状に形成されている。
また、前側被覆面部５１０の上縁部に連続して、第１スライド規制部材４００の上側被押圧板部（図示略）を押圧する上側押圧部５１１が形成されている。
上側押圧部５１１は、前側被覆面部５１０の上縁部から後側に延在する略矩形状の接続面部５１２と、接続面部５１２の後端部から上側に延在して、内面で上側被押圧板部を押圧する押圧面部５１３とを備えている。
そして、第１スライド規制部材４００が第１カバー部材５００により被覆された状態で、上側押圧部５１１の押圧面部５１３により上側被押圧板部が後側に押圧されることで、ボックススライド開口部４６ａから第１挿入部４３１が外れることを防止するとともに、スライド開口部６４１ａから第２挿入部４３２が外れることを防止するようになっている。
【００８５】
また、前側被覆面部５１０の下縁部に連続して、第１スライド規制部材４００の下側被押圧板部４４６を押圧する下側押圧部５１４が形成されている。
下側押圧部５１４は、前側被覆面部５１０の下縁部から後側に延在する略矩形状の接続面部５１５と、接続面部５１５の後端部から下側に延在して、内面で下側被押圧板部４４６を押圧する押圧面部５１６とを備えている。
そして、第１スライド規制部材４００が第１カバー部材５００により被覆された状態で、下側押圧部５１４の押圧面部５１６により下側被押圧板部４４６が後側に押圧されることで、ボックススライド開口部４６ａから第１挿入部４４１が外れることを防止するとともに、スライド開口部６４１ａから第２挿入部４４２が外れることを防止するようになっている。
【００８６】
上側被覆面部５２０は、上側押圧部５１１の押圧面部５１３の上縁部に連設され、前後方向及び左右方向に対して略平行に延在するように略矩形状に形成されている。また、上側被覆面部５２０の後端は、基板ホルダ６０の上縁部の後端部と略等しい位置まで延設されている。
【００８７】
下側被覆面部５３０は、下側押圧部５１４の押圧面部５１３の下縁部に連設され、前後方向及び左右方向に対して略平行に延在するように略矩形状に形成されている。また、下側被覆面部５３０の後端は、下側第２補強板部６２２ｃの後端と略等しい位置まで延設されている。
【００８８】
後側被覆面部５４０は、下側被覆面部５３０の後縁部に連設された下面部５４１と、上側被覆面部５２０の後縁部に連設された上面部５４２と、上面部５４２と下面部５４１を接続する後側接続面部５４３とを備えている。
【００８９】
下面部５４１は、基板ホルダ６０の下縁部から回動軸部６２の上側軸部取付部６２１までを被覆するように延設され、上下方向及び左右方向に対して略平行に形成されている。これにより、第１カバー部材５００が基板ボックス１２及び基板ホルダ６０に取り付けられることで、下面部５４１は回動軸部６２の上側軸部取付部６２１及び下側軸部取付部６２２の後端部に接触した状態となって、当該第１カバー部材５００が前後方向に位置決めされるようになっている。
また、下面部５４１は、基板ホルダ６０の係止部６７に対応させて、当該下面部の右端部から左側に一部分切り欠かれている。
下面部５４１の上縁部には、後側接続面部５４３が連設されている。
【００９０】
後側接続面部５４３は、下面部の上縁部から前側に延在する略矩形板状に形成されている。後側接続面部５４３の前後方向の長さは、上側第１補強板部６２１ｂの後端部から基板ホルダ６０の左縁部の後端部までの長さと略等しくなっている。
後側接続面部５４３の前縁部には、上面部５４２が連設されている。
【００９１】
上面部５４２は、回動軸部６２の上側軸部取付部６２１から基板ホルダ６０の上縁部までを被覆するように延設され、上下方向及び左右方向に対して略平行に形成されている。
これにより、第１カバー部材５００が基板ボックス１２及び基板ホルダ６０に取り付けられることで、上面部５４２は基板ホルダ６０の上縁部及び左縁部の後端に接触した状態となって、当該第１カバー部材５００が前後方向に位置決めされるようになっている。
【００９２】
かしめ受部取付面部５６０は、前後方向及び上下方向に対して略平行に延在するように形成されている。また、かしめ受部取付面部５６０には、第１スライド規制部材４００の下側の２つのかしめ部４１０、４１０が挿通される下側かしめ部用開口部５６１と、第１スライド規制部材４００の上側の２つのかしめ部４１０、４１０が挿通される上側かしめ部用開口部５６２と、基板ホルダ６０の下側の回動軸６２ａが挿通される下側回動軸用開口部５６３と、基板ホルダ６０の上側の回動軸６２ａが挿通される上側回動軸用開口部５６４が形成され、下側かしめ部用開口部５６１と下側回動軸用開口部５６３の間に、４つのかしめ受部５５０、…のうち、下側２つのかしめ受部５５０、５５０が配設され、上側かしめ部用開口部５６２と上側回動軸用開口部５６４の間に、残り２つのかしめ受部５５０、５５０が配設されている。
【００９３】
下側２つのかしめ受部５５０、５５０は、第１スライド規制部材４００の下側の２つのかしめ部４１０、４１０に対応させるように下側かしめ部用開口部５６１の後側に配設されている。また、下側２つのかしめ受部５５０、５５０は、取付部５５１を介してかしめ受部取付面部５６０に配設されている。
【００９４】
取付部５５１は、上下方向に並設された２つのかしめ受部５５０、５５０を連結するかしめ受部連結部５５１ａと、かしめ受部連結部５５１ａとかしめ受部取付面部５６０の左端面を接続する連結部接続部５５１ｂと、上側のかしめ受部５５０とかしめ受部取付面部５６０の左端面を接続する上接続部５５１ｃと、下側のかしめ受部５５０とかしめ受部取付面部５６０の左端面を接続する下接続部５５１ｄとを備えている。
【００９５】
各かしめ受部５５０は、外形が前後方向に延在する円柱状に形成され、略中央部に第１カバー部材５００と第１スライド規制部材４００を固着する際にワンウェイネジ９が螺子込まれるネジ穴５５０ａ（図９参照）が当該かしめ受部５５０の前端面から前後方向に沿って穿設されている。
【００９６】
下側２つのかしめ受部５５０、５５０の後側には、下側回動軸用開口部５６３が形成されている。
【００９７】
上側２つのかしめ受部５５０、５５０は、第１スライド規制部材４００の上側の２つのかしめ部４１０、４１０に対応させるように上側かしめ部用開口部５６２の後側に配設されている。また、上側２つのかしめ受部５５０、５５０は、取付部５５１を介してかしめ受部取付面部５６０に配設されている。
なお、取付部５５１は、上記の下側２つのかしめ受部５５０、５５０の取付けに係る取付部５５１の構成と略同様となっており、その説明を省略する。
また、各かしめ受部５５０は、上記の下側２つのかしめ受部５５０、５５０の構成と略同様となっており、その説明を省略する。
【００９８】
上側２つのかしめ受部５５０、５５０の後側には、上側回動軸用開口部５６４が形成されている。
【００９９】
そして、下側かしめ部用開口部５６１を介して第１スライド規制部材４００の下側の２つのかしめ部４１０、４１０を左側に突出させ、且つ、上側かしめ部用開口部５６２を介して第１スライド規制部材４００の上側の２つのかしめ部４１０、４１０を左側に突出させるとともに、下側回動軸用開口部５６３を介して基板ホルダ６０の下側の回動軸を左側に突出させ、且つ、上側回動軸用開口部５６４を介して基板ホルダ６０の上側の回動軸を左側に突出させるようにして、第１カバー部材５００が基板ボックス１２及び基板ホルダ６０に取り付けられる。
これにより、下側の２つのかしめ部４１０、４１０が下側の２つのかしめ受部５５０、５５０が前後に並んだ状態となるとともに、上側の２つのかしめ部４１０、４１０が上側の２つのかしめ受部５５０、５５０が前後に並んだ状態となる。
【０１００】
また、かしめ受部５５０は、第１スライド規制部材４００のかしめ部４１０とワンウェイネジ９とともに、第１カバー部材５００と第１スライド規制部材４００を固着する固着手段を構成している。そして、第１カバー部材５００と第１スライド規制部材４００が固着された状態では、第１カバー部材５００の取り外し及び、第１スライド規制部材４００によるボックススライド被係止部４６に対するボックススライド係止部の係止状態を解除する方向へのスライドの規制状態の解除が不可とされる。
【０１０１】
当該固着手段による固着解除は、ワンウェイネジ９が螺合されているかしめ受部５５０に接続されている取付部５５１（例えば、上接続部５５１ｃとかしめ受部連結部５５１ａ）若しくはかしめ部４１０の連結部４１１を切断することにより行われる。即ち、固着手段は、痕跡が残るような方法でのみ固着解除可能とされている。
そして、第１カバー部材５００と第１スライド規制部材４００の固着状態が解除されることで、第１カバー部材５００及び第１スライド規制部材４００を基板ボックス１２及び基板ホルダ６０から取り外すことができ、ボックススライド被係止部４６とボックススライド係止部の係止状態が解除される。
ここで、第１カバー部材５００と第１スライド規制部材４００を有するボックス開放規制部３００は、ボックススライド被係止部４６とボックススライド係止部の係止状態の解除を防止する解除防止手段を構成している。
【０１０２】
次に、遊技機本体に対する基板ボックス１２の取付方法について説明する。
先ず、基板ボックス１２のスライド係止部４１を基板ホルダ６０のスライド被係止部６４１に挿入する。このとき、基板ボックス１２の底面（前側の面）により係合爪６７２が前側に押し込まれて係止部６７が撓んだ状態となる。
【０１０３】
次に、スライド係止部４１をスライド被係止部６４１に係止させるように基板ボックス１２を右方向にスライド移動させると、ボックスかしめ部配設部２８の切欠部２８ｂで螺合部６６を案内しながら右方向に移動していく。そして、切欠部２８ｂの奥側の湾曲した部分が螺合部６６に当接することで基板ボックス１２のスライドが停止して、ネジ孔２８ａの中心軸が螺合部６６のネジ穴の中心軸と前後にほぼ重なる位置に配置された状態となる。また、このとき、基板ボックス１２の左端部が係合爪６７２よりも右側に配置されて当該基板ボックス１２の底面による係合爪６７２の後側への押込みが解除された状態、即ち、係止部６７が撓んでいない通常状態へと復帰して、係合爪６７２が基板ボックス１２の左端部に係合した状態となる。
その後、ボックスかしめ部配設部２８の各々のネジ孔２８ａを介して取付ネジを各螺合部６６のネジ穴に螺子込む。
【０１０４】
次に、基板ボックス１２及び基板ホルダ６０に第１スライド規制部材４００を取り付ける。
具体的には、上下の第１挿入部４３１、４４１を基板ボックス１２の上下の周囲壁４２、４２の最も左側に設けられたボックススライド被係止部４６のボックススライド開口部４６ａ、４６ａに挿入するとともに、上下の第２挿入部４３２、４４２を基板ホルダ６０の上下縁部の左側に設けられたスライド被係止部６４１のスライド開口部６４１ａ、６４１ａに挿入するようにして第１スライド規制部材４００を基板ボックス１２及び基板ホルダ６０に取り付ける。
これにより、第１挿入部４３１、４４１がボックススライド開口部４６ａに挿入されることで、第２ボックス構成部材４０に対する第１ボックス構成部材２０の右方向へのスライドを規制するとともに、第２挿入部４３２、４４２がスライド開口部６４１ａに挿入されることで、基板ホルダ６０に対する基板ボックス１２の右方向へのスライドを規制する。
【０１０５】
次に、第１カバー部材５００を基板ボックス１２及び基板ホルダ６０に取り付ける。
具体的には、基板ボックス１２及び基板ホルダ６０の左側端部を第１カバー部材５００により被覆されるように挿通させていき、下側かしめ部用開口部５６１を介して第１スライド規制部材４００の下側の２つのかしめ部４１０、４１０を左側に突出させ、且つ、上側かしめ部用開口部５６２を介して第１スライド規制部材４００の上側の２つのかしめ部４１０、４１０を左側に突出させるとともに、下側回動軸用開口部５６３を介して基板ホルダ６０の下側の回動軸６２ａを左側に突出させ、且つ、上側回動軸用開口部５６４を介して基板ホルダ６０の上側の回動軸６２ａを左側に突出させる。
これにより、下側の２つのかしめ部４１０、４１０と下側の２つのかしめ受部５５０、５５０が前後に並んだ状態となるとともに、上側の２つのかしめ部４１０、４１０と上側の２つのかしめ受部５５０、５５０が前後に並んだ状態となって、各かしめ部４１０のネジ孔と各かしめ受部５５０のネジ穴５５０ａが対向して連通された状態（固着可能な状態）となる。
【０１０６】
そして、４つのかしめ部４１０、…のうち、何れか（例えば、最も上側）のかしめ部４１０のネジ孔に仮止めされているワンウェイネジ９を当該ネジ孔に対向配置されたかしめ受部５５０のネジ穴５５０ａに螺子込むことで第１カバー部材５００と第１スライド規制部材４００を固着する。
その後、ワンウェイネジ９が螺合されたかしめ部４１０の前面を、ワンウェイネジ９のネジ頭部が露出しないように合成樹脂製のキャップ４１２をかしめ部４１０に溶着して封止する。
【０１０７】
一方、基板ホルダ６０から基板ボックス１２を取り外す場合、ワンウェイネジ９が螺合されているかしめ受部５５０に接続されている取付部５５１（例えば、上接続部５５１ｃとかしめ受部連結部５５１ａ）、若しくはかしめ部４１０の連結部４１１を切断する。これにより、第１カバー部材５００を第１スライド規制部材４００から取り外し可能な状態となる。
そして、第１カバー部材５００を第１スライド規制部材４００から取り外した後、第１スライド規制部材４００を基板ボックス１２及び基板ホルダ６０から取り外し、その後、ボックスかしめ部配設部２８の各々のネジ孔２８ａ及び螺合部６６のネジ穴に螺合されている取付ネジを取り外す。
その後、係合爪６７２を後側に押し込むように係止部６７を撓ませて係合爪６７２の係合を解除することで、係止部６７は基板ボックス１２の基板ホルダ６０からの取り外しを許容した状態となる。そして、基板ボックス１２を基板ホルダ６０に対して左側にスライド移動させることで、スライド係止部４１とスライド被係止部６４１の係合が解除されて、基板ホルダ６０から基板ボックス１２が取り外される。
【０１０８】
以上のように、実施形態１の遊技機１００は、電子部品を搭載した制御基板を収納する基板ボックス１２を設けた遊技機１００であって、基板ボックス１２は、第１ボックス構成部材２０と、第２ボックス構成部材４０とを備え、第１ボックス構成部材２０にボックススライド係止部が設けられ、第２ボックス構成部材４０にボックススライド被係止部４６が設けられ、ボックススライド被係止部４６にボックススライド係止部を係止させて当該基板ボックス１２は閉状態とされ、ボックススライド係止部とボックススライド被係止部４６との係止状態の解除を防止するボックス開放規制部３００を備え、ボックス開放規制部３００による係止状態の解除防止は、痕跡が残るような方法でのみ解除されるように構成されている。
【０１０９】
従って、ボックス開放規制部３００により基板ボックス１２を閉状態とするボックススライド係止部とボックススライド被係止部４６の係止状態の解除が防止されることから、当該基板ボックス１２の開放が不可能となり制御基板に対する不正行為を防止することが可能となる。
さらに、ボックス開放規制部３００は、ボックススライド係止部とボックススライド被係止部４６の係止状態が解除されると痕跡が残ることとなるので、係止状態が不正に解除された場合には、破壊箇所の発生により、不正行為が行われたことを迅速に発見することができる。
【０１１０】
また、ボックススライド係止部とボックススライド被係止部４６は、相対的にスライドさせて係止するように構成され、ボックス開放規制部３００は、ボックススライド係止部とボックススライド被係止部４６との係止状態の解除方向へのスライドを規制する第１スライド規制部材４００と、第１スライド規制部材４００の少なくとも一部を覆う第１カバー部材５００とを備え、第１スライド規制部材４００と第１カバー部材５００は、痕跡が残るような方法でのみ固着解除される固着手段としてのかしめ部４１０とかしめ受部５５０とワンウェイネジ９により固着されて、当該第１カバー部材５００の取り外し及び第１スライド規制部材４００によるボックススライド被係止部４６に対するボックススライド係止部のスライドの規制状態の解除が不可とされている。
【０１１１】
従って、ボックススライド係止部とボックススライド被係止部４６は、相対的にスライドさせて係止するように構成され、ボックス開放規制部３００は、ボックススライド係止部とボックススライド被係止部４６との係止状態の解除方向へのスライドを規制する第１スライド規制部材４００と、第１スライド規制部材４００の少なくとも一部を覆う第１カバー部材５００とを備え、第１スライド規制部材４００と第１カバー部材５００は、痕跡が残るような方法でのみ固着解除される固着手段により固着されて、当該第１カバー部材５００の取り外し及び第１スライド規制部材４００によるボックススライド被係止部４６に対するボックススライド係止部のスライドの規制状態の解除が不可とされているので、第１スライド規制部材４００によりボックススライド被係止部４６とボックススライド係止部の係止状態の解除を確実に防止することができる。また、第１カバー部材５００により第１スライド規制部材４００の取り外しも防止することができる。さらに、第１カバー部材５００を不正に取り外した場合には、その痕跡が残るので、不正行為を抑制するとともに、不正行為が行われた場合にはそれを迅速に発見することができる。
【０１１２】
また、基板ボックス１２を当該遊技機本体に取り付けるための基板ホルダ６０を備え、基板ホルダ６０及び基板ボックス１２のうち、一方にスライド係止部が設けられ、他方にスライド係止部が係止されるスライド被係止部６４１が設けられ、スライド係止部とスライド被係止部６４１は、基板ホルダ６０に基板ボックス１２を取り付ける際に、相対的にスライドさせて係止するように構成され、第１スライド規制部材４００は、さらに、スライド係止部とスライド被係止部６４１との係止状態の解除方向へのスライドを規制している。
【０１１３】
従って、基板ボックス１２を当該遊技機本体に取り付けるための基板ホルダ６０を備え、基板ホルダ６０に基板ボックス１２を取り付けるスライド係止部とスライド被係止部６４１は、相対的にスライドさせて係止するように構成され、第１スライド規制部材４００は、スライド係止部とスライド被係止部６４１との係止状態の解除方向へのスライドを規制するので、基板ボックス１２自体を不正に開放することを防止することができるだけでなく、基板ボックス１２を基板ホルダ６０から取り外すことも防止することができ、不正行為を確実に防止することができる。特に、基板ボックス１２が基板ホルダ６０に取り付けられた状態のまま、基板ボックス１２を不正に開放することも防止できるので、不正行為をより好適に防止することができる。
【０１１４】
また、基板ボックス１２は、第１ボックス構成部材２０と第２ボックス構成部材４０を当該基板ボックス１２の一端部側で固着するボックス固着部７０を備え、第１カバー部材５００は、基板ボックス１２のボックス固着部７０が配設される右端部とは反対側の左端部を覆う被覆部を有している。
【０１１５】
従って、基板ボックス１２は、第１ボックス構成部材２０と第２ボックス構成部材４０を該基板ボックス１２の一端部側で固着するボックス固着部７０を備え、第１カバー部材５００は、基板ボックス１２のボックス固着部７０が配設される右端部とは反対側の左端部を覆う被覆部を有するので、基板ボックス１２の一方の右端部にボックス固着部７０を備えた構成であっても、ボックス固着部７０と反対側の左端部における第１ボックス構成部材２０と第２ボックス構成部材４０の接合部分に工具を挿入し、第１ボックス構成部材２０と第２ボックス構成部材４０を開放する方向に力を加えて、ボックス固着部７０を破壊しないで、即ち、樹脂の弾力により力を吸収して、その反対側の端部に隙間を形成したり、或いは、ボックス固着部７０を破壊しないで第１ボックス構成部材２０が第２ボックス構成部材４０から取り外されてしまう不正行為を適正に防止することができる。特に、基板ボックス１２をスライド開放するように構成して、ボックス固着部７０とは反対側の端部に第１ボックス構成部材２０と第２ボックス構成部材４０の重合部（固着部）が形成される構成にした場合に、その重合部に工具を差し込んで基板ボックス１２を開放する方向に強引にスライドすると、上記不正行為が行われやすくなるが、その場合にも被覆部を形成することで、上記重合部への工具の差し込みを防止でき確実に不正行為を防止することができる。さらに、基板ボックス１２を基板ホルダ６０に取り付けた状態で行われる不正行為に対しても有効となる。
【０１１６】
なお、上記実施形態１にあっては、ボックス開放規制部３００の第１スライド規制部材４００及び第１カバー部材５００によって、基板ボックス１２のボックス固着部７０が配設される右側端部とは反対側の左側端部を覆うような構成としたが、これに限られるものではなく、基板ボックス１２の開放を困難とするような構成であれば如何なる構成であっても良く、第１スライド規制部材４００及び第１カバー部材５００によって基板ボックス１２のボックス固着部７０が配設される右側端部とは反対側の左側端部を被覆するか否かは適宜任意に変更することができる。
【０１１７】
また、上記実施形態１にあっては、基板ボックス１２にスライド係止部を設け、基板ホルダ６０にスライド係止部が係止されるスライド被係止部６４１を設けるようにしたが、これに限られるものではなく、基板ホルダ６０及び基板ボックス１２のうち、一方にスライド係止部が設けられ、他方にスライド係止部が係止されるスライド被係止部が設けられていれば良い。即ち、例えば、基板ホルダ６０にスライド係止部を設け、基板ボックス１２にスライド係止部が係止されるスライド被係止部６４１を設けるようにしても良い。
【０１１８】
［実施形態２］
図１０は、本発明を適用した実施形態２の遊技機２００に備わる遊技盤１の一部を示す背面図であり、取付ベース２に取り付けられた演出制御装置３及び遊技制御装置６１０を示す。図１１は、遊技盤１に備わる遊技制御装置６１０を拡大して示す正面図である。
図１０及び図１１に示すように、実施形態２の遊技機２００の遊技制御装置６１０は、基板ボックス１２及び基板ホルダ６０の左右方向の略中央部に取り付けられたボックス開放規制部６００を備えている。
なお、実施形態２の遊技機２００は、ボックス開放規制部６００の構成以外の点では上記実施形態１と略同様であるので、同様の構成には同一の符号を付してその説明を省略する。
【０１１９】
以下に、ボックス開放規制部６００について図１１〜図１８を参照して説明する。
ボックス開放規制部６００は、図１１〜図１３に示すように、基板ボックス１２及び基板ホルダ６０の左右方向の略中央部を被覆するように配設されている。具体的には、図１４及び図１５に示すように、ボックス開放規制部６００は、基板ホルダ６０に取り付けられる第２カバー部材７００と、第２カバー部材７００の一端部に回動自在に軸支され、基板ボックス１２に取り付けられる第２スライド規制部材８００と、第２カバー部材７００に取り付けられるかしめ部配設部材９００を備えている。
【０１２０】
第２カバー部材７００は、図１６（ａ）及び図１６（ｂ）等に示すように、左右方向側から視て略「コ」字状に形成され、基板ボックス１２及び基板ホルダ６０の下側を被覆する下側被覆部７１０と、下側被覆部７１０の後端部に連続して形成され、基板ホルダ６０の後面を被覆する後側被覆部７２０と、後側被覆部７２０の上端部に連続して形成され、基板ボックス１２及び基板ホルダ６０の上側を被覆する上側被覆部７３０を備えている。
【０１２１】
下側被覆部７１０は、前後方向及び左右方向に対して略平行に延在するように板状に形成されている。また、下側被覆部７１０の前端部には、かしめ部配設部材９００の係止部９１２が係止される被係止部７１１が設けられている。
被係止部７１１は、下側から視て略「Ｌ」字状に切り欠かれた切欠部７１２と、この切欠部７１２の前側に形成され、係止部９１２の係止片９１２ａが係合する凹部（図示略）を具備している。
切欠部７１２は、下側被覆部７１０の前端部から前後方向に沿って後方へ延在し、さらに直角に右方へ屈折して左右方向に沿って延在するように形成されている。また、切欠部７１２の右側端部の奥側（上側）部分は、前側に所定の深さ凹んだ凹部が形成されている。
【０１２２】
後側被覆部７２０は、上下方向及び左右方向に対して略平行に延在するように略矩形板状に形成され、左右方向の長さが基板ホルダ６０の左から２つ目の縦リブ６８と３つ目の縦リブ６８の長さと略等しくなっている。
また、後側被覆部７２０の前面には、縦リブ６８の下側リブ部分６８２どうしの間に横リブ６９に沿って配設される２つの横リブ係止部（係合部）７２１、７２１と、縦リブ６８の上側リブ部分６８１どうしの間に配設される４つの縦リブ係止部（係合部）７２２、…を備えている。
【０１２３】
２つの横リブ係止部７２１、７２１は、後側被覆部７２０の前面から前側に突出して、左右方向に沿って延在するように形成されている。下側の横リブ係止部７２１は、最も下側の横リブ６９の下側に配設され、上側の横リブ係止部７２１は、真ん中の横リブ６９の下側に配設されている。各横リブ係止部７２１の左右方向の長さは、下側リブ部分６８２どうしの間隔と略等しくなっている。
【０１２４】
４つの縦リブ係止部７２２、…は、後側被覆部７２０の前面から前側に突出して、上下方向に沿って延在するように形成されている。４つの縦リブ係止部７２２、…のうち、外側２つの縦リブ係止部７２２、７２２は、左から２つ目の縦リブ６８及び３つ目の縦リブ６８の上側リブ部分６８１に沿って延在するように形成されている。
また、４つの縦リブ係止部７２２、…の下端部は、真ん中の横リブ６９の上面に接触する位置まで延設され、上側の横リブ係止部７２１とともに真ん中の横リブ６９を挟んでいる。また、４つの縦リブ係止部７２２、…の上端部は、基板ホルダ６０の上端縁部６０ｂの下面に接触する位置まで延設され、上側被覆部７３０とともに基板ホルダ６０の上端縁部６０ｂを挟んでいる。
４つの縦リブ係止部７２２、…の中途部には、最も上側の横リブ６９と係合する略矩形状の係合用凹部７２２ａが形成されている。
【０１２５】
そして、基板ホルダ６０に第２カバー部材７００を取り付けることで、縦リブ６８の下側リブ部分６８２どうしの間に２つの横リブ係止部７２１、７２１が配置されるとともに、左から２つ目の縦リブ６８の上側リブ部分６８１の右側に最も左側の縦リブ係止部７２２が配置され、且つ、左から３つ目の縦リブ６８の上側リブ部分６８１の左側に最も右側の縦リブ係止部７２２が配置された状態となる。また、このとき、４つの縦リブ係止部７２２、…の係合用凹部７２２ａ内に最も上側の横リブ６９が配置された状態となる。
これにより、第２カバー部材７００が基板ホルダ６０に取り付けられた状態で、第２カバー部材７００の基板ホルダ６０に対する左右方向の移動が規制される。
ここで、２つの横リブ係止部７２１、７２１は、縦リブ６８の下側リブ部分（被係合部）６８２どうしに係合する係合部を構成している。また。最も左側の縦リブ係止部７２２は、左から２つ目の縦リブ６８の上側リブ部分（被係合部）６８１に係合し、最も右側の縦リブ係止部７２２は、左から３つ目の縦リブ６８の上側リブ部分６８１に係合する係合部を構成している。
【０１２６】
上側被覆部７３０は、前後方向及び左右方向に対して略平行に延在するように矩形板状に形成され、前端部に第２スライド規制部材８００を軸支する回動軸７３１が２つ設けられている。
【０１２７】
各回動軸７３１は、所定間隔を空けて設けられ、左右方向に対して略平行に延在して形成されている。そして、当該回動軸７３１が第２スライド規制部材８００の軸受部８２０に軸着されることで、第２スライド規制部材８００が第２カバー部材７００に対して左右方向の軸周りに回動自在に取付けられる。
【０１２８】
第２スライド規制部材８００は、図１７（ａ）及び図１７（ｂ）等に示すように、基板ボックス１２の前面を被覆する前側被覆部８１０と、前側被覆部８１０の上端部に設けられた回動軸７３１が軸着される軸受部８２０と、前側被覆部８１０の後面側の下端部に設けられ、ボックススライド開口部４６ａに挿入されるスライド規制挿入部８３０と、前側被覆部８１０の前面側に設けられた４つのかしめ受部８４０、…を備えている。
【０１２９】
前側被覆部８１０は、上下方向及び左右方向に対して略平行に延在するように矩形板状に形成されている。また、前側被覆部８１０の後面側の上端部には、２つの軸受部８２０、８２０が所定間隔を空けて連設されている。
軸受部８２０は、略円筒状に形成され、軸心方向が左右方向に対して略平行となるように延在している。
【０１３０】
前側被覆部８１０の後面側の下端部であって、左右方向の略中央部には、スライド規制挿入部８３０が設けられている。スライド規制挿入部８３０は、当該前側被覆部８１０の後面から後側に突出するように形成されている。
【０１３１】
スライド規制挿入部８３０は、上下方向に直交する断面が略「コ」字状に形成され、上下方向に延在する部分の幅が後側になるにつれて次第に狭くなるように傾斜されている。また、スライド規制挿入部８３０は、第２カバー部材７００に対して第２スライド規制部材８００を基板ボックス１２を覆う方向に回動させることで、当該基板ボックス１２の下側の周囲壁４２の真ん中に設けられたボックススライド被係止部４６のボックススライド開口部４６ａに挿入されるものである。これにより、スライド規制挿入部８３０は、第２カバー部材７００よりも内側（下側被覆部７１０の上側）に配設された状態となる。
また、スライド規制挿入部８３０の先端部（後端部）は、左右方向の長さがボックススライド開口部４６ａの左右方向の長さと略等しいか、或いはわずかに短くなるように、且つ、当該スライド規制挿入部８３０の先端部の上下方向の長さがボックススライド開口部４６ａの上下方向の長さと略等しいか、或いはわずかに短くなるように形成されている。
そして、スライド規制挿入部８３０がボックススライド開口部４６ａに挿入されることで、第２ボックス構成部材４０に対する第１ボックス構成部材２０の右方向へのスライド、即ち、ボックススライド被係止部４６に対するボックススライド係止部９１２の係止状態を解除する方向へのスライドを規制するようになっている。
【０１３２】
前側被覆部８１０の後面側の下端部のスライド規制挿入部８３０の左右両側には、第２カバー部材７００に対して第２スライド規制部材８００を基板ボックス１２を覆う方向に回動させることで、第１ボックス構成部材２０の下側の側壁部２２に当接する側壁部当接部８３１がそれぞれ２つずつ設けられている。
側壁部当接部８３１は、下側の側壁部２２の形状に対応させるように、前後方向に対してわずかに傾斜させて形成されている。
【０１３３】
４つのかしめ受部８４０、…は、かしめ受部取付部８５０を介して前側被覆部８１０の前面に取り付けられている。
かしめ受部取付部８５０は、左右方向に並設された４つのかしめ受部８４０、…のうち、隣合うものどうしを連結するかしめ受部連結部８５１と、かしめ受部連結部８５１と前側被覆部８１０を接続する連結部接続部８５２と、左側のかしめ受部８４０と前側被覆部８１０を接続する左接続部８５３と、右側のかしめ受部８４０と前側被覆部８１０を接続する右接続部８５４とを備えている。
【０１３４】
各かしめ受部８４０は、外形が上下方向に延在する円柱状に形成され、略中央部に第１カバー部材５００と第１スライド規制部材４００を固着する際にワンウェイネジ９が螺子込まれるネジ穴８４０ａが当該かしめ受部８４０の前端面から前後方向に沿って穿設されている。
さらに、かしめ受部８４０は、第２カバー部材７００にかしめ部配設部材９００が取り付けられることによってかしめ部９２０と対向配置され、当該かしめ部９２０のネジ孔９２０ａとかしめ受部８４０のネジ穴８４０ａが連通された状態となる。
【０１３５】
かしめ部配設部材９００は、図１８（ａ）及び図１８（ｂ）等に示すように、第２カバー部材７００に取り付けられる第２カバー部材取付部９１０と、第２カバー部材取付部９１０に連結部９２１を介して連設された４つのかしめ部９２０、…を備えている。
【０１３６】
第２カバー部材取付部９１０は、左右方向から視て略「Ｌ」字状に形成されている。第２カバー部材取付部９１０の一方の板状部９１１は、前後方向及び左右方向に対して略平行に延在するように矩形板状に形成され、当該一方の板状部９１１の内側（上側）には、第２カバー部材７００の被係止部７１１に係止される係止部９１２が設けられている。
【０１３７】
係止部９１２は、第２カバー部材取付部９１０の一方の板状部９１１の内側の面から上下方向に沿って上向きに突設され、上端部分がさらに前側に突出することで係止片９１２ａを形成している。
これにより、第２カバー部材７００の被係止部７１１の切欠部７１２にかしめ部配設部材９００の係止部９１２を嵌め込んだ後、かしめ部配設部材９００を第２カバー部材７００に対して右方向へスライドさせることで、切欠部７１２の右側端部側に係止部９１２が移動して被係止部７１１の凹部に係止部９１２の係止片９１２ａが係止された状態となる。
【０１３８】
第２カバー部材取付部９１０の他方の板状部９１３は、上下方向及び左右方向に対して略平行に延在するように矩形板状に形成され、当該他方の板状部９１３の外側（前側）には、４つのかしめ部９２０、…が配設されている。
【０１３９】
４つのかしめ部９２０、…は、４つのかしめ受部８４０、…に対応させて左右方向に所定間隔を空けて配設されている。
各かしめ部９２０は、外形が上下方向に延在する円筒状に形成され、略中央部にかしめ部配設部材９００と第２スライド規制部材８００を固着する際にワンウェイネジ９が挿通されるネジ孔９２０ａが上下方向に沿って穿設されている。ここで、かしめ部９２０は、ワンウェイネジ９及び第２スライド規制部材８００のかしめ受部８４０とともに固着手段を構成している。
【０１４０】
なお、かしめ部９２０の上端部には、ネジ孔９２０ａよりも前側部分が後側部分に対して上側に突出された段差部９２０ｂ（図１８参照）が形成され、段差部９２０ｂによって、当該かしめ部９２０と接合するかしめ受部８４０を前側から覆うようになっている。即ち、かしめ部９２０の上下方向の長さは、当該かしめ部配設部材９００が第２スライド規制部材８００に取り付けられた状態で、当該かしめ部９２０の上端部の段差部９２０ｂよりも後側の部分がかしめ受部８４０の下端面に当接するとともに、段差部９２０ｂによりかしめ受部８４０の下端部が前側から覆われる程度となっている。
これにより、かしめ部９２０のネジ孔９２０ａとかしめ受部８４０のネジ穴８４０ａが連通された状態となるとともに、かしめ部９２０とかしめ受部８４０の接合部分に工具等を差し込んで当該かしめ部配設部材９００と第２スライド規制部材８００の接合部分を開放する不正行為を抑制することができる。
【０１４１】
４つのかしめ部９２０、…には、予めワンウェイネジ９が仮止めされている。そして、４つのかしめ部９２０、…の何れかに仮止めされているワンウェイネジ９がかしめ部９２０のネジ孔９２０ａと当該ネジ孔９２０ａに対向配置されたかしめ受部８４０のネジ穴８４０ａに螺子込まれることでかしめ部配設部材９００と第２スライド規制部材８００が固着されている。
なお、かしめ部９２０の前面は、ワンウェイネジ９のネジ頭部が露出しないようにキャップ９２２により封止されている。
【０１４２】
以下に、遊技機本体に対する基板ボックス１２の取付方法について説明する。
基板ホルダ６０に対する基板ボックス１２の取付方法は、上記実施形態１と同様であり、その説明は省略する。
【０１４３】
次に、基板ボックス１２及び基板ホルダ６０に第２カバー部材７００を取り付ける。
具体的には、第２カバー部材７００の上側被覆部７３０及び下側被覆部７１０を後側被覆部７２０に対して撓ませるようにして当該第２カバー部材７００を基板ホルダ６０の後側から取り付けて、縦リブ６８の下側リブ部分６８２どうしの間に２つの横リブ係止部７２１、７２１を配置させるとともに、左から２つ目の縦リブ６８の上側リブ部分６８１の右側に最も左側の縦リブ係止部７２２を配置させ、且つ、左から３つ目の縦リブ６８の上側リブ部分６８１の左側に最も右側の縦リブ係止部７２２を配置させる。
これにより、第２カバー部材７００が基板ホルダ６０に取り付けられた状態となって、第２カバー部材７００の基板ホルダ６０に対する左右方向の移動を規制する。
【０１４４】
次に、第２カバー部材７００の各回動軸７３１を第２スライド規制部材８００の対応する軸受部８２０に挿入するようにして、第２カバー部材７００に第２スライド規制部材８００を取り付ける。
続けて、第２スライド規制部材８００を基板ボックス１２を前側から被覆するように回動させていき、当該第２スライド規制部材８００のスライド規制挿入部８３０を、基板ボックス１２の下側の周囲壁４２の真ん中に設けられたボックススライド被係止部４６のボックススライド開口部４６ａに挿入させる。
これにより、第２ボックス構成部材４０に対する第１ボックス構成部材２０の右方向へのスライドを規制する。
【０１４５】
次に、第２カバー部材７００にかしめ部配設部材９００を取り付ける。
具体的には、第２カバー部材７００の被係止部７１１の切欠部７１２にかしめ部配設部材９００の係止部９１２を嵌め込んだ後、かしめ部配設部材９００を第２カバー部材７００に対して右方向へスライドさせて被係止部７１１の凹部に係止部９１２の係止片９１２ａを係止させる。
これにより、４つのかしめ部９２０、…と４つのかしめ受部８４０、…が上下に並んだ状態となって、各かしめ部９２０のネジ孔９２０ａと各かしめ受部８４０のネジ穴８４０ａが対向して連通された状態となる。
【０１４６】
そして、４つのかしめ部９２０、…のうち、何れか（例えば、最も右側）のかしめ部９２０のネジ孔９２０ａに仮止めされているワンウェイネジ９を当該ネジ孔９２０ａに対向配置されたかしめ受部８４０のネジ穴８４０ａに螺子込むことでかしめ部配設部材９００と第２スライド規制部材８００を固着する。
その後、ワンウェイネジ９が螺合されたかしめ部９２０の前面を、ワンウェイネジ９のネジ頭部が露出しないように合成樹脂製のキャップ９２２をかしめ部９２０に溶着して封止する。
【０１４７】
一方、基板ホルダ６０から基板ボックス１２を取り外す場合、ワンウェイネジ９が螺合されているかしめ受部８４０に接続されているかしめ受部取付部８５０若しくはかしめ部８２０の連結部９２１を切断する。これにより、かしめ部配設部材９００を第２スライド規制部材８００から取り外し可能な状態となる。
そして、かしめ部配設部材９００を第２スライド規制部材８００から取り外した後、第２スライド規制部材８００を基板ボックス１２を前側から被覆する方向と反対方向に回動させ、軸受部８２０から回動軸７３１を抜き取るようにして第２スライド規制部材８００を第２カバー部材７００から取り外す。
その後、第２カバー部材７００を基板ボックス１２及び基板ホルダ６０から取り外した後、ボックスかしめ部配設部２８の各々のネジ孔２８ａ及び螺合部６６のネジ穴に螺合されている取付ネジを取り外す。
その後、係合爪６７２を後側に押し込むように係止部６７を撓ませて係合爪６７２の係合を解除することで、係止部６７は基板ボックス１２の基板ホルダ６０からの取り外しを許容した状態となる。そして、基板ボックス１２を基板ホルダ６０に対して左側にスライド移動させることで、スライド係止部とスライド被係止部６４１の係合が解除されて、基板ホルダ６０から基板ボックス１２が取り外される。
【０１４８】
以上のように、実施形態２の遊技機２００によれば、電子部品を搭載した制御基板を収納する基板ボックス１２を設けた遊技機２００であって、基板ボックス１２は、第１ボックス構成部材２０と、第２ボックス構成部材４０とを備え、第１ボックス構成部材２０にボックススライド係止部が設けられ、第２ボックス構成部材４０にボックススライド被係止部４６が設けられ、ボックススライド被係止部４６にボックススライド係止部を係止させて当該基板ボックス１２は閉状態とされ、ボックススライド係止部とボックススライド被係止部４６との係止状態の解除を防止するボックス開放規制部６００を備え、ボックス開放規制部６００による係止状態の解除防止は、痕跡が残るような方法でのみ解除されるように構成されている。
【０１４９】
従って、ボックス開放規制部６００により基板ボックス１２を閉状態とするボックススライド係止部とボックススライド被係止部４６の係止状態の解除が防止されることから、当該基板ボックス１２の開放が不可能となり制御基板に対する不正行為を防止することが可能となる。
さらに、ボックス開放規制部６００は、ボックススライド係止部とボックススライド被係止部４６の係止状態が解除されると痕跡が残ることとなるので、係止状態が不正に解除された場合には、破壊箇所の発生により、不正行為が行われたことを迅速に発見することができる。
【０１５０】
また、ボックススライド係止部とボックススライド被係止部４６は、相対的にスライドさせて係止するように構成され、ボックス開放規制部６００は、基板ボックス１２の外面の少なくとも一部を覆う第２カバー部材７００と、第２カバー部材７００よりも内側に配設され、ボックススライド係止部とボックススライド被係止部４６との係止状態の解除方向へのスライドを規制するスライド規制挿入部８３０を有する第２スライド規制部材８００とを備え、第２スライド規制部材８００と第２カバー部材７００は、痕跡が残るような方法でのみ固着解除される固着手段としてのかしめ部９２０とかしめ受部８４０とワンウェイネジ９により固着されて、第２スライド規制部材８００によるスライドの規制状態の解除が不可とされている。
【０１５１】
従って、ボックススライド係止部とボックススライド被係止部４６は、相対的にスライドさせて係止するように構成され、ボックス開放規制部６００は、基板ボックス１２の外面の少なくとも一部を覆う第２カバー部材７００と、第２カバー部材７００よりも内側に配設され、ボックススライド係止部とボックススライド被係止部４６との係止状態の解除方向へのスライドを規制するスライド規制挿入部８３０を有する第２スライド規制部材８００とを設けたので、基板ボックス１２の開放方向へのスライドを確実に規制し、基板ボックス１２の不正な開放を確実に防止することができる。
また、第２スライド規制部材８００と第２カバー部材７００は、痕跡が残るような方法でのみ固着解除される固着手段により固着されて、第２スライド規制部材８００によるスライドの規制状態の解除が不可とされているので、第２スライド規制部材８００により係止状態の解除を確実に防止することができる。また、第２カバー部材７００及び第２スライド規制部材８００を不正に取り外した場合には、その痕跡が残るので、不正行為を抑制するとともに、不正行為が行われた場合にはそれを迅速に発見することができる。
【０１５２】
また、基板ボックス１２を当該遊技機本体に取り付けるための基板ホルダ６０を備え、第２カバー部材７００は、基板ボックス１２及び基板ホルダ６０の外面の少なくとも一部を覆うように構成されるとともに、当該第２カバー部材７００の内側に、基板ホルダ６０の横リブ６９及び縦リブ６８に係合する横リブ係止部７２１及び縦リブ係止部７２２が形成されている。
【０１５３】
従って、基板ボックス１２を当該遊技機本体に取り付けるための基板ホルダ６０を備え、第２カバー部材７００は、基板ボックス１２及び基板ホルダ６０の外面の少なくとも一部を覆うように構成されるとともに、当該第２カバー部材７００の内側に、基板ホルダ６０の横リブ６９及び縦リブ６８に係合する横リブ係止部７２１及び縦リブ係止部７２２を形成したので、第２カバー部材７００及び第２スライド規制部材８００を固着状態のまま取り外すことを防止でき、基板ボックス１２の不正な開放を確実に防止することができる。
また、基板ボックス１２を基板ホルダ６０から取り外すことも防止できる。さらに、基板ボックス１２を基板ホルダ６０に取り付けた状態のまま基板ボックス１２を開放する等の不正行為も確実に防止することができる。
【０１５４】
なお、上記実施形態２にあっては、基板ホルダ６０の横リブ６９や縦リブ６８の所定位置（被係合部）に係合する係合部として横リブ係止部７２１及び縦リブ係止部７２２を例示したが、被係合部及び係合部はこれに限られるものではなく、係合部は、第２カバー部材７００の如何なる場所に設けられたものであっても良いし、被係合部は基板ホルダ６０の如何なる場所に設けられたものであっても良い。
【０１５５】
なお、本発明は、上記実施形態に限定されることなく、本発明の趣旨を逸脱しない範囲において、種々の改良並びに設計の変更を行っても良い。
例えば、上記実施形態では、第１ボックス構成部材２０にボックススライド係止部を設け、第２ボックス構成部材４０にボックススライド被係止部４６を設けるようにしたが、これに限られるものではなく、第２ボックス構成部材４０にボックススライド係止部を設け、第１ボックス構成部材２０にボックススライド被係止部を設けるようにしても良い。
また、ボックススライド係止部とボックススライド被係止部４６を相対的にスライドさせて係止するように構成したが、第１ボックス構成部材に設けられる係止部と第２ボックス構成部材に設けられる被係止部の係止方法は一例であって、これに限られるものではない。
【０１５６】
加えて、ボックス開放規制部３００、６００の固着手段として、かしめ受部５５０、８４０とかしめ部４１０、９２０をワンウェイネジ９でかしめて固着するものを例示したが、これに限られるものではなく、痕跡が残るような方法でのみ固着解除可能なものであれば如何なるものであっても良い。例えば、ワンウェイネジ９の代わりに締める方向に回している途中でネジ頭部が破断する破断ネジを用いても良いし、ネジの代わりに第１ボックス構成部材２０と第２ボックス構成部材４０を溶着により固着しても良く、破壊しない限り第１ボックス構成部材の係止部と第２ボックス構成部材の被係止部との係止状態を解除できないような方法であれば適宜任意に採用しても良い。
【０１５７】
さらに、遊技制御装置１０、６１０の取付部材として基板ホルダ６０を例示したが、これに限られるものではなく、遊技制御装置１０、６１０を遊技機本体に取り付けることができる部材であれば如何なるものであっても良い。
【０１５８】
なお、本発明の遊技機１００、２００は、遊技機として、前記実施の形態に示されるようなパチンコ遊技機に限られるものではなく、例えば、その他のパチンコ遊技機、アレンジボール遊技機、雀球遊技機、パチスロ遊技機などの制御基板を備える全ての遊技機に適用可能である。
【０１５９】
また、今回開示された実施の形態はすべての点で例示であって制限的なものではないと考えられるべきである。本発明の範囲は上記した説明ではなくて特許請求の範囲によって示され、特許請求の範囲と均等の意味及び範囲内でのすべての変更が含まれることが意図される。
【符号の説明】
【０１６０】
１００、２００  遊技機
９      ワンウェイネジ（固着手段）
１０、６１０  遊技制御装置（制御装置）
１２    基板ボックス
２０    第１ボックス構成部材
４０    第２ボックス構成部材
４６    ボックススライド被係止部（被係止部）
６０    基板ホルダ（取付部材）
６４１  スライド被係止部（取付用被係止部）
６２ａ  回動軸
６８    縦リブ（被係合部）
６９    横リブ（被係合部）
７０    ボックス固着部（ボックス固着手段）
３００、６００  ボックス開放規制部（解除防止手段）
４００  第１スライド規制部材
４１０、９２０  かしめ部（固着手段）
５００  第１カバー部材（被覆部）
５５０、８４０  かしめ受部（固着手段）
７００  第２カバー部材
８００  第２スライド規制部材
９００  かしめ部配設部材
【図１】
0005432961.tif 000002
【図２】
0005432961.tif 000003
【図３】
0005432961.tif 000004
【図４】
0005432961.tif 000005
【図５】
0005432961.tif 000006
【図６】
0005432961.tif 000007
【図７】
0005432961.tif 000008
【図８】
0005432961.tif 000009
【図９】
0005432961.tif 000010
【図１０】
0005432961.tif 000011
【図１１】
0005432961.tif 000012
【図１２】
0005432961.tif 000013
【図１３】
0005432961.tif 000014
【図１４】
0005432961.tif 000015
【図１５】
0005432961.tif 000016
【図１６】
0005432961.tif 000017
【図１７】
0005432961.tif 000018
【図１８】
0005432961.tif 000019